(57)【特許請求の範囲】
【請求項１】
制御部と駆動部が設けられ、掃除対象物の表面に直接接触が行われる掃除機本体；前記掃除機本体内で前記駆動部の後方側に形成され、前記駆動部の駆動により発生する排気熱を分岐させる排気熱分岐部；掃除対象物の湿気を除去するために前記排気熱分岐部で分岐される排気熱を排出するように、前記掃除機本体の底面前方側に形成される第１排出口と、前記掃除機本体の底面中間または後方側に形成される第２排出口を含む排気熱排出口；及び、前記排気熱分岐部と前記排気熱排出口に連結して排気熱流れをガイドするように、前記排気熱分岐部から分岐されて前記第１排出口と連結される第１流路と、前記排気熱分岐部から分岐されて前記第２排出口と連結される第２流路を含むガイド流路；を含んで構成し、
前記排気熱分岐部には、駆動部の駆動により発生する排気熱を前記ガイド流路に、または掃除機本体の外部に選択的に排出させるように開閉される第１電子バルブと、前記排気熱分岐部と前記ガイド流路の連結部位に位置して前記排気熱分岐部から分岐された排気熱を前記ガイド流路を介して前記排気熱排出口から排出、または遮断させるように開閉される第２電子バルブを構成し、
前記制御部は、湿気除去時に前記第２電子バルブが開放されるように制御して排気熱を前記第１排出口または第２排出口に案内し、掃除対象物で湿気除去を行わなければ前記第２電子バルブを閉鎖制御し、前記第１電子バルブを開放制御して前記排気熱を掃除機本体の外部へ排出させる制御プログラムを搭載構成することを特徴とする排気熱を利用した湿気除去機能を有する掃除機。
【請求項２】
前記第１、第２排出口に隣接する前記第１、第２流路側には、排気熱の温度を昇温させて掃除対象物の湿気除去が一定温度で行われるように、前記第１流路から前記第１排出口に排出される排気熱または前記第２流路から前記第２排出口に排出される排気熱を加熱するヒータ部をそれぞれ構成することを特徴とする、請求項１に記載の排気熱を利用した湿気除去機能を有する掃除機。
【請求項３】
前記第１、第２排出口に隣接する前記第１、第２流路には、前記ヒータ部の加熱温度を感知する温度センサを構成し、前記ヒータ部は前記温度センサから感知した加熱温度情報が制御部に出力時に前記制御部によりオン／オフされるように構成し、
前記制御部は、前記温度センサの感知情報により前記ヒータ部の作動時間または加熱強度を調節する制御プログラムを搭載して構成することを特徴とする、請求項２に記載の排気熱を利用した湿気除去機能を有する掃除機。
【請求項４】
前記ヒータ部は、入力部に含まれる動作スイッチにおけるオン／オフのスイッチング動作時に制御部によりオン／オフされるように構成することを特徴とする、請求項２に記載の排気熱を利用した湿気除去機能を有する掃除機。
【請求項５】
前記駆動部と排気熱分岐部との間には、排気熱分岐部に案内される排気熱に含まれる微細埃をフィルタリングするフィルタ部を結合して構成することを特徴とする、請求項１に記載の排気熱を利用した湿気除去機能を有する掃除機。
【請求項６】
前記掃除機本体には、掃除対象物の殺菌処理のために前記駆動部のオン駆動時に制御部の制御によって掃除対象物の表面で紫外線を照射する紫外線ランプを結合して構成することを特徴とする、請求項３に記載の排気熱を利用した湿気除去機能を有する掃除機。
【請求項７】
前記掃除機本体には、掃除対象物から細菌及び害虫を感知した後に、これを制御部に出力する有害要素感知部を構成することを特徴とする、請求項６に記載の排気熱を利用した湿気除去機能を有する掃除機。
【請求項８】
前記有害要素感知部は、本体の底面または本体内の吸入経路に位置することを特徴とする、請求項７に記載の排気熱を利用した湿気除去機能を有する掃除機。
【請求項９】
前記有害要素感知部は、モーション感知機能または熱感知機能を含むことを特徴とする、請求項７に記載の排気熱を利用した湿気除去機能を有する掃除機。
【請求項１０】
掃除機本体には、掃除対象物の表面を掃き出すブラッシュと、掃除対象物の表面を打撃するたたきと、入力部の入力情報により前記ブラッシュ及びたたきと前記駆動部の動作を制御する前記制御部と、を含み、
前記制御部は、有害要素感知部の感知情報に応じてブラッシュとたたき及び駆動部、そして紫外線ランプの作動時間または作動強度を調節し、温度センサの感知情報によりヒータ部の作動時間または加熱強度を調節する制御プログラムを搭載構成することを特徴とする、請求項７に記載の排気熱を利用した湿気除去機能を有する掃除機。
【発明の詳細な説明】
【技術分野】
【０００１】
本発明は、掃除機に関し、より詳しくは、掃除機の動作時に発生する高温の排気熱を利用して掃除対象物（例えば、寝具類、カーペットなど）に存在する湿気を除去して、掃除対象物に細菌と各種害虫（例えば、埃、ダニなど）のような人体有害要素が棲息する環境を無くし、これにより掃除対象物をいつも清潔かつ衛生的な状態に維持する、排気熱を利用した湿気除去機能を有する掃除機（Ｃｌｅａｎｅｒ  ｔｈａｔ  ｈａｖｅ  ｍｏｉｓｔｕｒｅｒｅ  ｍｏｖａｌ  ｆｕｎｃｔｉｏｎ  ｔｈａｔ  ｕｓｅ  ｅｘｈａｕｓｔ  ｈｅａｔ）に関する。
【背景技術】
【０００２】
一般に、ふとん及び枕とベッドマットレスなどの寝具類は勿論、カーペットなどは比較的長期間人体と隣接する。
【０００３】
よって、寝具類やカーペットなど（以下、「掃除対象物」という）は、埃などの通常の異物はもちろん、人体からの角質をえさとして棲息するホコリダニの排泄物とその死体粉や微細埃などによって汚染せざるを得ず、特に人体から発生する汗などが付け出され、人体有害要素の細菌とホコリダニなどが棲息しやすい環境が作られた。
【０００４】
一方、掃除対象物を汚染させた、上記のような異物は細菌及び害虫の餌物になりやすく、掃除対象物自体が細菌及び害虫の棲息場所となるので、掃除対象物の使用者が細菌及び害虫によって被害にあう問題があった。
【０００５】
このような理由で、掃除対象物を随時にはたいて日光にさらしたり、一部薬品などによる殺菌剤及び殺虫剤を散布して消毒している。
【０００６】
しかしながら、細菌及び害虫は大変小さく、掃除対象物の表面はもちろん、掃除対象物の奥深い所を棲息場所として寄生及び活動するので、掃除対象物をはたいて日光にさらしたり、一部薬品などによる殺菌剤及び殺虫剤を散布して消毒したりしても細菌及び害虫の除去が十分でない問題があった。
【０００７】
上記のような問題を解決しようと、本願出願人は、特許文献１、特許文献２のような掃除機を開示することに至った。
【０００８】
前記掃除機は、通常、本体、吸入電動機、ブラッシュ、たたき、紫外線ランプを含むものであって、吸入電動機の作動を介して掃除対象物の表面の異物を吸入する際にブラッシュが掃除対象物の表面を掃きだし、たたきが掃除対象物表面を打撃するものであって、これにより掃除対象物から異物除去が容易に行われ、紫外線ランプからの紫外線の照射により掃除対象物の表面を殺菌処理するものである。
【０００９】
しかし、掃除対象物は、人体から出る汗などによって湿気が維持されるが、先行技術の掃除機は、掃除対象物に存在する湿気を効果的に除去することができず、ユーザが直接掃除対象物を日光にさらす不便さがあった。
【００１０】
すなわち、掃除機の場合、たたきが掃除対象物の表面を打撃して人体有害要素の各種細菌や害虫はもちろん、各種異物が飛びちるようにした状態で、これを真空吸入する方式に制限されていて、掃除対象物にユーザの汗などが付着され、湿気が存在する場合に、これを除去することができる手段が用意されておらず、これにより従来には、掃除対象物に存在する湿気によって、むしろ各種細菌や害虫などの人体有害要素が増大されるという問題点があった。
【００１１】
特に、掃除機の場合の一部であるが、掃除機に殺菌手段としてスチームを適用した場合もあるが、このようなスチーム方式は掃除対象物を殺菌処理した後に掃除対象物に残存するスチームが大気温度とスチームとの間の温度差によって湿気に変わって人体有害要素の棲息環境を提供するしかなかった。
【先行技術文献】
【特許文献】
【００１２】
【特許文献１】大韓民国特許第１０−０６６１６１９号明細書
【特許文献２】大韓民国特許第１０−１３０２６７３号明細書
【発明の概要】
【発明が解決しようとする課題】
【００１３】
そこで、本発明は、上記のような従来の問題点を改善するためのものであって、掃除機のモータ駆動時に発生する高温の排気熱を掃除対象物に排出するガイド流路を構成することで、再循環が行われる排気熱を介して掃除対象物（例えば、寝具類、カーペットなど）に残存する湿気を除去して細菌と各種害虫（例えば、ホコリダニなど）のような人体有害要素の棲息環境をなくしながら掃除対象物をいつも清潔かつ衛生的な状態に維持できるようにする排気熱を利用した湿気除去機能を有する掃除機を提供することに、その目的がある。
【課題を解決するための手段】
【００１４】
上記の目的を達成するための本発明の排気熱を利用した湿気除去機能を有する掃除機は、駆動部を有する掃除機本体と、前記本体内に前記駆動部の後方側に形成され、前記駆動部の駆動により発生する排気熱を分岐させる排気熱分岐部と、前記本体の底面に形成され、掃除対象物の湿気を除去するように前記排気熱分岐部から分岐される排気熱を排出する排気熱排出口と、前記排気熱分岐部と前記排気熱排出口とを連結して排気熱の流れをガイドするガイド流路と、を含んで構成したものである。
【００１５】
また、前記排気熱分岐部には、駆動部の駆動により発生する排気熱を前記ガイド流路または掃除機本体の外部に選択的に排出させるように開閉される第１バルブを結合して構成したものである。
【００１６】
また、前記排気熱分岐部と前記ガイド流路との連結部位には、前記排気熱分岐部から分岐される排気熱を排気熱排出口に排出または遮断させるように開閉される第２バルブを結合して構成したものである。
【００１７】
また、前記第１、第２バルブは、ユーザの操作により受動開閉されるノブを有する受動バルブまたは入力部に含まれる動作スイッチのオン／オフスイッチング動作時に前記制御部によって開閉される電子バルブである。
【００１８】
また、前記排気熱排出口に隣接する前記ガイド流路側には、排気熱の温度を昇温させて掃除対象物の湿気除去が所定温度で行われるように、前記ガイド流路から前記排気熱排出口に排出される排気熱を加熱するヒータ部を構成したものである。
【００１９】
また、前記排気熱排出口に隣接する前記ガイド流路側には、前記ヒータ部の加熱温度を感知する温度センサを構成したものである。
【００２０】
また、前記ヒータ部は、前記入力部に含まれる動作スイッチにおけるオン／オフのスイッチング動作時に、前記制御部によりオン／オフされるように構成したものである。
【００２１】
また、前記ヒータ部は、前記温度センサから感知した加熱温度情報の制御部への出力時に、前記制御部によってオン／オフされるように構成したものである。
【００２２】
また、前記駆動部と排気熱分岐部との間には、排気熱分岐部に案内される排気熱に含まれる微細埃をフィルタリングするフィルタ部を結合して構成する。
【００２３】
また、前記排気熱排出口は、掃除機本体の底面前方側に形成される第１排出口と、掃除機本体の底面中間または後方側に形成される第２排出口と、を含む。
【００２４】
また、前記ガイド流路は、前記排気熱分岐部から分岐されて前記第１排出口に連結される第１流路と、前記排気熱分岐部から分岐されて前記第２排出口に連結される第２流路と、を含み、前記第１、第２排出口に隣接するようになる前記第１、第２流路側にはそれぞれヒータ部を結合して構成したものである。
【００２５】
また、前記掃除機本体には、掃除対象物の殺菌処理のために前記駆動部のオン駆動時に前記制御部の制御により前記掃除対象物の表面に紫外線を照射する紫外線ランプを結合して構成したものである。
【００２６】
また、前記掃除機本体には、掃除対象物から細菌及び害虫を感知した後にこれを制御部に出力する有害要素感知部を構成したものである。
【００２７】
また、前記有害要素感知部は、本体の底面または本体内の吸入経路に位置するものである。
【００２８】
また、前記有害要素感知部は、モーション感知機能または熱感知機能を含んでいる。
【００２９】
また、前記制御部は、有害要素感知部の感知情報に応じてブラッシュとたたき及び駆動部、そして紫外線ランプの作動時間または作動強度を調節し、前記温度センサの感知情報によってヒータ部の作動時間または加熱強度を調節する制御プログラムを搭載構成したものである。
【発明の効果】
【００３０】
このように、本発明は、掃除機のモータ駆動時に発生する高温の排気熱を掃除対象物に排出するガイド流路を構成したもので、これにより再循環が行われる排気熱を介して掃除対象物に残存する湿気を除去して細菌と各種害虫のような人体有害要素の棲息環境をなくし、掃除対象物をいつも清潔かつ衛生的な状態に維持させるようにするなど、掃除機に対する製品満足度を高める効果を期待することができる。
【図面の簡単な説明】
【００３１】
【図１】本発明の実施形態として掃除機の構造を示す斜視図である。
【図２】本発明の実施形態として掃除機の構造を示す側断面概略図である。
【図３】本発明の実施形態として掃除機の構造を示す平面透視概略図である。
【図４】本発明の実施形態として駆動部の駆動により発生する排気熱を外部に排出する状態を示す平面透視概略図である。
【図５】本発明の実施形態として図４に対する側断面概略図である。
【図６】本発明の実施形態として駆動部の駆動により発生する排気熱を本体底面の排気熱排出口で排出する状態を示す平面透視概略図である。
【図７】本発明の実施形態として図６に対する側断面概略図である。
【図８】本発明の実施形態として掃除機の制御ブロック図である。
【発明を実施するための形態】
【００３２】
以下、添付した図面を参照しながら本発明の実施形態を説明する。
【００３３】
図１ないし図８を参照すると、本発明の実施形態に係る排気熱を利用した湿気除去機能を有する掃除機は、本体１００に掃除対象物の表面を掃き出すブラッシュ１０１、掃除対象物の表面を打撃するたたき１０２、吸込口１０３を介して掃除対象物から人体有害要素が真空吸入されるように駆動する駆動部１０４、入力部１０５の入力情報により前記ブラッシュ１０１及びたたき１０２と駆動部１０４の動作を制御する制御部１０６を構成する一方、排気熱分岐部１０、排気熱排出口２０、そしてガイド流路３０をさらに含んで構成し、それに加えてヒータ部４０と温度センサ４１及びフィルタ部５０、そして紫外線ランプ６０を構成したものである。
【００３４】
前記排気熱分岐部１０は、前記本体１００内で前記駆動部１０４の後方側に形成されることで、前記駆動部１０４の駆動により発生する排気熱を分岐するものである。
【００３５】
前記排気熱排出口２０は、掃除対象物に存在する湿気を、排気熱を介して除去できるように、前記本体１００の底面に少なくとも１つ、好ましくは本体１００の底面前方側に第１排出口２１を形成し、本体１００の底面中間または後方側に第２排出口２２を形成するもので、前記排気熱分岐部１０から分岐される排気熱を掃除対象物に排出できるように構成したものである。
【００３６】
前記ガイド流路３０は、前記排気熱分岐部１０と前記排気熱排出口２０とを連結することで、前記排気熱分岐部１０から分岐される排気熱を前記排気熱排出口２０の方向に案内するものであって、これは前記排気熱排出口２０の個数によって構成され、前記排気熱排出口２０を第１、第２排出口２１、２２として構成する場合、前記ガイド流路３０は、前記排気熱分岐部１０から分岐されて前記第１排出口２１に連結される第１流路３１、そして前記排気熱分岐部１０から分岐されて前記第２排出口２２に連結される第２流路３２で構成される。
【００３７】
ここで、前記掃除機本体１００の底面において、前後方及び両側面にそれぞれ４つの排出口を構成することができ、この場合、前記ガイド流路また前記排出口の個数に合わせて前記排気熱分岐部１０から４つの方向に分岐されて前記４つの排出口にそれぞれ連結されるように構成される。
【００３８】
このとき、前記排気熱分岐部１０には、駆動部１０４の駆動により発生する排気熱を前記ガイド流路３０または掃除機本体１００の外部へ選択的に排出させるための第１バルブＶ１を構成し、前記排気熱分岐部１０と前記ガイド流路３０との連結部位には前記排気熱分岐部１０から分岐された排気熱を排気熱排出口２０に排出または遮断させるように、開閉する第２バルブＶ２を結合して構成するようにし、これにより、前記第１、第２バルブＶ１、Ｖ２はユーザの操作により受動開閉するノブを有するバルブ（または開閉ドア）であるか、または前記入力部１０５に含まれる動作スイッチＳＷ１のオン／オフスイッチング動作時に、前記制御部１０６により開閉するスロットルバルブまたはソレノイドバルブのいずれか１つで構成することができるが、特にこれに限らず、電気的な信号によって開放または閉鎖可能な電子バルブを選択的に適用することができる。
【００３９】
すなわち、前記駆動部１０４の駆動により発生する排気熱を介して掃除対象物から湿気を除去する場合は、前記第２バルブＶ２を開放して排気熱を排気熱排出口２０の第１排出口２１及び／または第２排出口２２に案内するが、掃除対象物から湿気を除去しない場合には、前記第２バルブＶ２を閉鎖できるように制御した状態で、前記第１バルブＶ１を開放して駆動部１０４から発生する排気熱を本体１００の外部へ排出できるようにしたものである。
【００４０】
前記ヒータ部４０は、前記入力部１０５に含まれている動作スイッチＳＷ２のオン／オフのスイッチング動作時に、前記制御部１０６によりオン／オフが行われるか、または温度センサ４１によって感知された情報が制御部１０６に入力されて前記制御部１０６によってオン／オフが決定されることで、前記排気熱排出口２０と隣接する前記ガイド流路３０の内部または前記ガイド流路３０を構成する第１、第２流路３１、３２内に構成され、前記駆動部１０４の初期駆動や掃除作業が終了する以前の時点で排気熱の温度を昇温させて掃除対象物での湿気除去が所定温度（例えば、６０℃〜７０℃）で行われるように、前記排気熱分岐部１０からガイド流路３０に案内される排気熱を加熱するように構成したものである。
【００４１】
このとき、前記排気熱排出口２０と隣接する前記第１、第２流路３１、３２の内部には、前記ヒータ部４０の加熱動作時に、温度を感知する温度センサ４１を構成し、前記温度センサ４１は、前記ヒータ部４０の加熱温度感知情報を制御部１０６に出力することで、前記制御部１０６は前記温度センサ４１の感知情報を介して前記ヒータ部４０の加熱動作をオン／オフ制御できるように構成したものである。
【００４２】
前記フィルタ部５０は、前記駆動部１０４と前記排気熱分岐部１０との間に形成したもので、前記駆動部１０４から排気熱分岐部１０に排気熱の排出が行われる場合、前記排気熱に含まれた微細埃をフィルタリングできるように構成したものである。
【００４３】
前記紫外線ランプ６０は、前記掃除機本体１００に構成されるもので、これは掃除対象物に対する殺菌処理のために前記駆動部１０４のオン駆動時に、前記制御部１０６の制御によって前記掃除対象物の表面に紫外線を照射できるように構成したものである。
【００４４】
このように、本発明の実施形態は、駆動部１０４の駆動により発生する所定温度（例えば、６０℃〜７０℃）の排気熱を排気熱分岐部１０から分離させて排気熱排出口２０または排気熱排出口２０を構成する第１、第２排出口２１、２２を介して掃除対象物に排出することで、掃除対象物に汗やスチーム掃除後に存在する湿気を除去し、これにより掃除対象物から人体有害要素の棲息環境をなくすことに、その技術的特徴がある。
【００４５】
一方、本発明の実施形態に係る掃除機本体１００には、掃除対象物から細菌及び害虫を感知した後にこれを前記制御部１０６に出力するモーション感知機能または熱感知機能を有する有害要素感知部７０を構成することができ、このような有害要素感知部７０は、本体１００の底面または本体１００内の吸入経路に位置するように構成し、これにより前記制御部１０６は、有害要素感知部７０の感知情報に応じてブラッシュ１０１とたたき１０２及び駆動部１０４、そして紫外線ランプ６０の作動時間または作動強度を調節するか、または温度センサ４１によって感知された情報に応じてヒータ部４０の加熱作動時間または加熱強度を調節する制御プログラムを搭載構成したものである。
【００４６】
ここで、前記吸込口１０３は本体１００に設けられたもので、これは前記駆動部１０４の駆動により前記吸込口１０３を介して本体１００の内部に外気の吸入が容易に行われるためであって、このとき、前記吸込口１０３上には当然フィルタ（図示せず）が用意され、そこで、前記フィルタは吸込口１０３を経て吸入される外気から異物を除去することができ、このようなフィルタは外気から異物除去が可能であればいかなるものでもよい。
【００４７】
このように、本発明の実施形態に係る排気熱を利用した湿気除去機能を有する掃除機は、添付の図１ないし図８のように、まず、入力部１０５を操作して駆動部１０４を駆動させると、前記駆動部１０４の駆動により吸込口１０３を介して本体１００の内部に外気の真空吸入が行われる。
【００４８】
したがって、本体１００の底面を寝具、すなわち、掃除対象物に密着させた状態で移動させると、外気吸入過程において異物が吸入されるので、掃除対象物から一般の異物と細菌及び害虫のような人体有害要素が相当部分除去されることができる。
【００４９】
次に、吸込口１０３と隣接する本体１００の底面には、連続回転するブラッシュ１０１及び連続昇降を繰り返すたたき１０２が用意されているので、入力部１０５の操作を介してブラッシュ１０１の回転及びたたき１０２の打撃が行われるようにすると、掃除対象物から異物が容易に脱落され、脱落した異物は外気とともに、本体１００の内部に吸入されるので、掃除対象物から異物と細菌及び害虫のような人体有害要素の除去をさらに容易に行うことができる。
【００５０】
このとき、前記本体１００の底面に設けられた紫外線ランプ６０は、前記駆動部１０４の駆動が行われる際に動作して紫外線を照射するようになるので、本体１００の底面を掃除対象物に密着させた状態で移動させると、前記紫外線ランプ６０から照射される紫外線により掃除対象物表面の殺菌が行われるので、掃除対象物から細菌及び害虫の除去をさらに円滑に行うことができる。
【００５１】
一方、上記のように、掃除機の動作で掃除対象物から各種異物や人体有害物質を真空吸入した状態で、駆動部１０４の駆動により発生する排気熱は、排気熱分岐部１０から分岐されてガイド流路３０またはガイド流路３０を構成する第１、第２流路３１、３２を介して本体１００の底面に設けられた排気熱排出口２０または排気熱排出口２０を構成する第１、第２排出口２１、２２で排出されるようにした。
【００５２】
そこで、前記排気熱排出口２０または第１、第２排出口２１、２２を介して排出が行われる排気熱は、前記駆動部１０４の駆動により所定温度（例えば、６０℃〜７０℃）を維持するが、もし所定温度（例えば、６０℃〜７０℃）を維持することができない場合には前記排気熱排出口２０に隣接するガイド流路３０の内部または第１、第２流路３１、３２内に設けられたヒータ部４０を動作させて所定温度（例えば、６０℃〜７０℃）に昇降させることができる。
【００５３】
それでは、前記排気熱排出口２０または第１、第２排出口２１、２２を介して掃除対象物に排出される所定温度（例えば、６０℃〜７０℃）の排気熱が、前記掃除対象物に残存する湿気、すなわち、ユーザの汗またはスチーム掃除後に残る湿気を除去することができ、これにより掃除対象物に残存する人体有害要素に対する棲息環境をなくすことができる。
【００５４】
すなわち、本発明の実施形態は、駆動部１０４の駆動により発生する排気熱を介して掃除対象物に存在する湿気を除去する場合、第２バルブＶ２を開放して排気熱を排気熱排出口２０の第１排出口２１及び／または第２排出口２２に案内するので、前記駆動部１０４の駆動により発生する所定温度の排気熱を介して掃除対象物に残存する湿気を効果的に除去することができ、掃除対象物での湿気を除去しない場合には、第２バルブＶ２を閉鎖制御した状態で第１バルブＶ１を開放して駆動部１０４で発生する排気熱を本体１００の外部に排出させたものである。
【００５５】
一方、本発明の実施形態は、本体１００の底面または本体１００内の吸入経路にモーション感知機能または熱感知機能を有する有害要素感知部７０を構成しているので、前記有害要素感知部７０の感知情報に応じて駆動部１０４、ブラッシュ１０１、たたき１０２、紫外線ランプ６０、またはヒータ部４０の作動時間と作動強度を制御プログラムを搭載した制御部１０６が調節するので、掃除対象物において人体有害要素の除去は勿論、人体有害要素が棲息することができる環境を確実になくしながら、掃除対象物をいつも清潔かつ衛生的な状態に維持することができる。
【００５６】
以上、本発明の好ましい実施形態を参照して詳細に説明したが、本発明の権利範囲はこれに限らず、当該技術分野の熟練した当業者は添付の特許請求の範囲に記載された本発明の思想及び領域から逸脱しない範囲で、本発明を多様に修正及び変更することができる。
【符号の説明】
【００５７】
１０    排気熱分岐部
２０    排気熱排出口
２１、２２    第１、２排出口
３０    ガイド流路
３１、３２    第１、２流路
４０    ヒータ部
４１    温度センサ
５０    フィルタ部
６０    紫外線ランプ
７０    有害要素感知部
１００    本体
１０１    ブラッシュ
１０２    たたき
１０３    吸込口
１０４    駆動部
１０５    入力部
１０６    制御部
【図１】
0006043781.tif 000002
【図２】
0006043781.tif 000003
【図３】
0006043781.tif 000004
【図４】
0006043781.tif 000005
【図５】
0006043781.tif 000006
【図６】
0006043781.tif 000007
【図７】
0006043781.tif 000008
【図８】
0006043781.tif 000009